(57)【要約】【課題】  タッチパネルによる入力位置の確定時に、操作者が押し下げ感を得ることが可能な携帯情報端末を得る。【解決手段】  互いに連結された第一及び第二の筐体と、第一の筐体に設けられてタッチパネル３が搭載された表示部２とを有する携帯情報端末において、表示部２のタッチパネル３に対する操作者の押し込み操作による第一の筐体の第二の筐体に対する角度変位を検出して、表示部２上における位置確定をなす制御部（ＣＰＵ）１を含むことを特徴とする。【選択図】      図１
2010093516.tif 000002
【特許請求の範囲】
【請求項１】
互いに連結された第一及び第二の筐体と、前記第一の筐体に設けられてタッチパネルが搭載された表示部とを有する携帯情報端末であって、
前記表示部のタッチパネルに対する操作者の押し込み操作による前記第一の筐体の前記第二の筐体に対する角度変位を検出して、前記表示部上における位置確定をなす制御手段を含むことを特徴とする端末。
【請求項２】
前記制御手段は、前記タッチパネル上での前記操作者のタッチ位置変位を検出して、前記位置確定を行った確定位置におけるドラッグ対象を前記位置変位に沿って移動させることを特徴とする請求項１記載の端末。
【請求項３】
前記制御手段は、前記タッチ位置変位終了及びタッチ操作終了に応答して、前記ドラッグ対象の表示部上での位置確定をなすことを特徴とする請求項２記載の端末。
【請求項４】
前記表示部上でのカーソルの移動のための方向指示キーを更に含んでおり、
前記制御手段は、前記操作者のタッチ操作状態における前記操作者の前記方向指示キーの操作に応答して、前記位置確定を行った確定位置におけるドラッグ対象を前記操作に沿って移動させることを特徴とする請求項１記載の端末。
【請求項５】
前記制御手段は、前記方向指示キー操作終了及びタッチ操作終了に応答して、前記ドラッグ対象の表示部上での位置確定をなすことを特徴とする請求項４記載の端末。
【請求項６】
操作キーを更に含んでおり、
前記制御手段は、前記操作者の押し込み操作と前記キーの操作との同時発生に応答して、前記位置確定を行った確定位置における関連情報を表示することを特徴とする請求項１記載の端末。
【請求項７】
前記操作キーは複数設けられており、前記複数のキーの各々に対して、前記関連情報の種類を特定するための機能が割当てられていることを特徴とする請求項６記載の端末。
【請求項８】
互いに連結された第一及び第二の筐体と、前記第一の筐体に設けられてタッチパネルが搭載された表示部とを有する携帯情報端末における動作制御方法であって、
前記表示部のタッチパネルに対する操作者の押し込み操作による前記第一の筐体の前記第二の筐体に対する角度変位を検出するステップと、
前記表示部上における位置確定をなす制御ステップとを含むことを特徴とする方法。
【請求項９】
前記制御ステップは、前記タッチパネル上での前記操作者のタッチ位置変位を検出して、前記位置確定を行った確定位置におけるドラッグ対象を前記位置変位に沿って移動させることを特徴とする請求項８記載の方法。
【請求項１０】
前記制御ステップは、前記タッチ位置変位終了及びタッチ操作終了に応答して、前記ドラッグ対象の表示部上での位置確定をなすことを特徴とする請求項９記載の方法。
【請求項１１】
前記端末は、前記表示部上でのカーソルの移動のための方向指示キーを更に含んでおり、
前記制御ステップは、前記操作者のタッチ操作状態における前記操作者の前記方向指示キーの操作に応答して、前記位置確定を行った確定位置におけるドラッグ対象を前記操作に沿って移動させることを特徴とする請求項８記載の方法。
【請求項１２】
前記制御ステップは、前記方向指示キー操作終了及びタッチ操作終了に応答して、前記ドラッグ対象の表示部上での位置確定をなすことを特徴とする請求項１１記載の方法。
【請求項１３】
前記端末は、操作キーを更に含んでおり、
前記制御ステップは、前記操作者の押し込み操作と前記キーの操作との同時発生に応答して、前記位置確定を行った確定位置における関連情報を表示することを特徴とする請求項８記載の方法。
【請求項１４】
前記操作キーは複数設けられており、前記複数のキーの各々に対して、前記関連情報の種類を特定するための機能が割当てられていることを特徴とする請求項１３記載の方法。
【請求項１５】
互いに連結された第一及び第二の筐体と、前記第一の筐体に設けられてタッチパネルが搭載された表示部とを有する携帯情報端末における動作制御方法をコンピュータにより実行させるためのプログラムであって、
前記表示部のタッチパネルに対する操作者の押し込み操作による前記第一の筐体の前記第二の筐体に対する角度変位を検出する処理と、
前記表示部上における位置確定をなす処理とを含むことを特徴とするプログラム。
【発明の詳細な説明】
【技術分野】
【０００１】
本発明は携帯情報端末及びその動作制御方法並びにプログラムに関し、特に表示部にタッチパネルを有する携帯情報端末における動作制御方式に関するものである。
【背景技術】
【０００２】
携帯情報端末の一例として携帯電話機がある。かかる携帯電話機において、ユーザの入力操作の簡便化のために、タッチパネルを用いたものがあり、例えば、特許文献１に開示の技術がある。また、携帯電話機の画面表示を大きく確保するために、特許文献２〜４などに示されるように、表示部を搭載した第一の筐体と、操作部を搭載した第二の筐体とを、回動自在なヒンジ機構により連結して折畳み式の構造としたものが、広く普及している。
【０００３】
更に、特許文献５を参照すると、このような折畳み式携帯電話機の表示部に、タッチパネルを重ね合わせて搭載して、両者の利点を合わせ持たせる他に、第二の筐体の操作部に操作キーを設けたものがあり、これにより、より多くの機能がキー操作可能なようになる。
【０００４】
【特許文献１】特開２００２−３６８８４０号公報
【特許文献２】特開２００４−０４０７３４号公報
【特許文献３】特開２００７−０６７５０６号公報
【特許文献４】特開２００７−２４３４８４号公報
【特許文献５】特開２００６−３１１２２４号公報
【発明の開示】
【発明が解決しようとする課題】
【０００５】
ここで、表示画面上にタッチパネルを搭載した入力操作においては、選択すべき位置をユーザがタッチすることにより、当該選択位置を入力された位置として確定するようになっている。しかし、このタッチパネルによる入力方式では、物理的な操作キーとは異なって、ユーザである操作者は押し下げた感触が得られず、よって押し下げたことを認識しずらい。そのために、目的とした位置を選択したかどうかが、操作者には分かりにくいという問題がある。
【０００６】
そこで、本発明はこのような問題点を解消すべくなされたものであって、その目的とするところは、タッチパネルによる入力位置の確定時に、操作者が押し下げ感を得ることが可能な携帯情報端末及びその動作制御方法並びにプログラムを提供することにある。
【課題を解決するための手段】
【０００７】
本発明による携帯情報端末は、互いに連結された第一及び第二の筐体と、前記第一の筐体に設けられてタッチパネルが搭載された表示部とを有する携帯情報端末であって、前記表示部のタッチパネルに対する操作者の押し込み操作による前記第一の筐体の前記第二の筐体に対する角度変位を検出して、前記表示部上における位置確定をなす手段を含むことを特徴とする。
【０００８】
本発明による動作制御方法は、互いに連結された第一及び第二の筐体と、前記第一の筐体に設けられてタッチパネルが搭載された表示部とを有する携帯情報端末における動作制御方法であって、前記表示部のタッチパネルに対する操作者の押し込み操作による前記第一の筐体の前記第二の筐体に対する角度変位を検出するステップと、前記表示部上における位置確定をなす制御ステップとを含むことを特徴とする。
【０００９】
本発明によるプログラムは、互いに連結された第一及び第二の筐体と、前記第一の筐体に設けられてタッチパネルが搭載された表示部とを有する携帯情報端末における動作制御方法をコンピュータにより実行させるためのプログラムであって、前記表示部のタッチパネルに対する操作者の押し込み操作による前記第一の筐体の前記第二の筐体に対する角度変位を検出する処理と、前記表示部上における位置確定をなす処理とを含むことを特徴とする。
【発明の効果】
【００１０】
本発明によれば、携帯情報端末において、表示部に搭載されたタッチパネルをタッチする際に、その押し込む力によって、表示部を有する第一の筐体に、第二の筐体に対する角度変位を与えるようにしておき、この角度変位に応答して入力位置の確定を行うようにしたので、ユーザが押し下げ感を得ることができるという効果がある。
【発明を実施するための最良の形態】
【００１１】
以下に、図面を参照して本発明の実施の形態につき説明する。図１は、本発明の第一の実施の形態に基づく携帯電話機の概略機能ブロック図である。本発明の実施の形態による携帯電話機は、制御部１と、表示部２と、タッチパネル３と、角度検出部４と、メモリ５とを含んでいる。
【００１２】
表示部２は、各種の表示をなす液晶表示部（ＬＣＤ：Liquid Crystal Display）である。タッチパネル３は、この表示部２の上面に搭載されてユザーである操作者のためのインタフェース機能を有する。
【００１３】
角度検出部４は、図３（ａ），（ｂ）に示すように、第一の筐体１０を第二の筐体２０に対して開閉自在に連結するヒンジ部３０の回動角度を検出する機能を有する。なお、第一の筐体１０は、タッチパネル３を搭載した表示部２が組み込まれており、第二の筐体２０は、操作キー（図示せず）が組み込まれているものとするが、これに限定されない。
【００１４】
制御部１は、これら各部２〜４を制御するためのＣＰＵ（コンピュータ）であり、メモリ５は、このＣＰＵ１の動作を制御するための制御手順を予めプログラムとして格納した記録媒体としての機能の他に、ＣＰＵ１の作業用メモリとしても機能するものである。
【００１５】
図２は、この第一の一実施の形態の動作を示すフローチャートである。先ず、表示部２の表示画面上の選択位置を操作者がタッチしたかどうかが判定される（ステップＳ１）。この場合の様子を、図３に示している。すなわち、図３（ａ）に示すように、タッチパネルを搭載した表示部２において、操作者が選択して確定すべき位置を「ＯＫ」で示す位置２０２とする。そして、操作者がカーソル２０１を、図３（ｂ）に示す如く、タッチパネル上で、指を使って「ＯＫ」位置２０２に移動させる。
【００１６】
このとき、表示部２を搭載した第一の筐体１０の第二の筐体２０に対する開き角度は、図４（ａ）に示すように、予め定められた通常の固定角度１００となっている。この状態では、角度検出部４は検出信号を出力しないものとする。
【００１７】
その後、図３（ｂ）に示す確定したい位置２０２に、カーソル２０１を停止させて、図４（ｂ）に示すように、その位置で操作者が指で表示部２を押圧（矢印Ａで示す）する。すると、図４（ａ）に示した通常の固定角度１００よりも大なる角度１０１まで、第一の筐体１０が変位するようになっている。
【００１８】
角度検出部４は、角度１００から角度１０１への角度変位を検出して（ステップＳ２）検出信号を生成し、制御部であるＣＰＵ１へ出力する。これに応答して、ＣＰＵ１は、カーソル２０１の位置を検出し、位置確定処理を行うことになるのである（ステップＳ３）。こうすることにより、操作者は、表示部２を押し込む操作により、選択位置の確定を行ったという感触を確実に得ることが可能となる。
【００１９】
なお、ヒンジ部３０の回動角度を検出するための角度検出部４の構成は、特許文献２に示されている電気的方法や、特許文献３，４に示されている磁気的方法などの周知の構成を採用することができるものであり、よってその説明は省略する。また、ヒンジ部３０は、図４（ｂ）の押し込み操作が終了すると、自動的に、図４（ａ）の通常の固定位置に復帰するように構成されているものとする。このような復帰部はバネなどの弾性体を用いて容易に実現可能である。
【００２０】
図５は、本発明の第二の実施の形態の動作を示したフローチャートであり、この場合の携帯電話機の構成は、第一の実施の形態で示した図１の例と同一である。本実施の形態は、ＰＣ（パーソナルコンピュータ）でのマウスによるいわゆるドラッグ操作に相当するものである。すなわち、押し込み操作とタッチ位置変位操作とを組み合わせることにより、タッチ位置変位による操作に、様々な入力指示を行うことを可能とするものである。
【００２１】
図５を参照すると、先ず、操作者が、表示部に表示されているドラッグしたいアイコンなどのオブジェクトやウィンドウなどのドラッグ対象を特定するために、タッチしたとする（選択位置タッチ：ステップＳ１１）。そして、操作者がそのタッチ位置で押し込み操作を行うと、表示部２を搭載した第一の筐体１０の第二の筐体２０に対する角度が増大して角度変位が生ずる（ステップＳ１２）。この角度変位を角度検出部４が検出して、ＣＰＵ１が選択位置確定処理をなす（ステップＳ１３）。
【００２２】
この状態（タッチしたままの状態）で、操作者がオブジェクトやウィンドウを移動させたい位置まで指を動かすとする。すると、この表示部上すなわちタッチパネル上でのタッチ位置変位をＣＰＵ１が検出して（ステップＳ１４）、位置確定時点でのオブジェクトやウィンドウを、操作者のタッチ位置変動に沿って移動させる（ステップＳ１５）。
【００２３】
操作者が指の移動を止めると、位置変位終了となるので（ステップＳ１６）、ＣＰＵ１はこれを検出してオブジェクトやウィンドウの移動を停止する（ステップＳ１７）。ここで、操作者がタッチを停止すると（ステップＳ１８）、その時点でオブジェクトやウィンドウの位置が確定することになるのである（ステップＳ１９）。
【００２４】
上記の例においては、操作者が、ドラッグの開始点から終了点までの間で、タッチした状態でかつ押し込み状態を継続しつつタッチ位置変動操作を行う方法の他に、ドラッグ開始点と終点のみで押し込み操作を行い、その間はタッチ位置変動操作のみとすることもできる。
【００２５】
また、それぞれの入力形態に応じて、オブジェクトやウィンドウの移動の指示以外の指示を行うことも可能である。例えば、文書作成時において、連続する複数文字や、連続する複数行分を選択して、下線、移動、貼り付け、複写等の操作をなす場合にも、このドラック操作が適用できるものである。
【００２６】
この図５に示した第二の実施の形態は、操作者のタッチパネルのタッチのみによる、すなわち指一本でＰＣのマウスによるドラッグ操作をなす場合の例であるが、更に他の実施の形態として、操作者の一方の手の指によるタッチの他に、携帯電話機を保持している他方の手の親指でキー操作をも行って、上述したドラッグ操作をなす場合の例を、第三の実施の形態として説明する。
【００２７】
この第三の実施の形態における携帯電話機の構成は図６に示すものであり、図１の構成の他に、キー操作部６が追加して設けられている。このキー操作部６は、第二の筐体２０（図３参照）に実装されているものとする。図７は、この実施の形態の動作を示すフローチャートであり、ステップＳ２１からＳ２３までは、図５のステップＳ１１からＳ１３までと同一である。
【００２８】
タッチしたままの状態で、操作者が方向指示キーによる移動方向指示の操作を行ったとする（ステップＳ２４）。なお、方向指示キーとは、表示部上でカーソルを上下左右方向に移動させるためのいわゆる十字キーなどである。すると、ＣＰＵ１は、位置確定時点でのオブジェクトやウィンドウを、方向指示キーによる移動方向へ移動させる（ステップＳ２５）。
【００２９】
方向指示キーの操作が終了すると（ステップＳ２６）、ＣＰＵ１はオブジェクトやウィンドウの移動を停止させる（ステップＳ２７）。ここで、操作者がタッチを停止すると（ステップＳ２８）、その時点でオブジェクトやウィンドウの位置が確定することになるのである（ステップＳ２９）。
【００３０】
更に、第四の実施の形態として、以下のような使用が考えられる。例えば、経路案内（ナビゲーション）機能を有する端末において、経路案内を起動中に、表示部２に表示されている所望の経路を操作者が指でトレースする（なぞる）場合、その経路に沿ったトレース表示がなされるが、このトレース操作中に、操作者が押し込み操作を行ったとする。その時点で位置確定がなされ、当該時点で経路案内の音声通知がなされるようにすることが可能である。
【００３１】
更に、第五の実施の形態として、この経路案内機能におけるトレース操作中の押し込み操作と同時に、操作者が操作部に設けられている特定キーを押す（第三の実施の形態と同様に、キー操作部が設けられている第二の筐体２０を保持している手の親指によるキー操作をなす）ことにより、タッチパネルの押込み操作による確定位置に関連する情報を表示するようにすることもできる。
【００３２】
例えば、操作用キー毎に、最寄りの食堂、喫茶店、レストラン、娯楽施設、更にはガソリンスタンド等の位置を示すマーク表示や、また、確定位置に関する注釈表示等が可能なように割当てておけば、当該確定位置に関する操作者の好みの関連情報が表示可能となる。なお、この第五の実施の形態の場合にも、図６に示すように、キー操作部６が、図１の構成に追加されることは勿論である。
【００３３】
この第五の実施の形態では、要するに、押し込み操作による位置確定と同時になされたキー操作に基づいて、このキーに予め割当てられている当該確定位置に関連する情報を表示するようにすることができるものである。
【００３４】
以上述べた実施の形態においては、携帯情報端末として折畳み式の携帯電話機を例として説明したが、これに限定されるものではない。すなわち、本発明は、表示部を有する第一の筐体が、操作用キーなどを搭載した第二の筐体に対して角度変位自在（開閉自在）な種々の連結機構で連結された構成の携帯情報端末に適用可能である。
【００３５】
また、上記の各実施の形態における制御部の動作は、予めその制御動作の手順をプログラムとしてＲＯＭなどの記録媒体に格納しておき、これをコンピュータ（ＣＰＵ）により読み取らせて実行させるように構成できることは勿論である。
【図面の簡単な説明】
【００３６】
【図１】本発明の第一の実施の形態の機能ブロック図である。
【図２】本発明の第一の実施の形態の動作を示すフローチャートである。
【図３】本発明の第一の実施の形態の携帯電話機の概略平面図及びその動作を説明するための図である。
【図４】本発明の第一の実施の形態の携帯電話機の概略側面図及びその動作を説明するための図である。
【図５】本発明の第二の実施の形態の動作を示すフローチャートである。
【図６】本発明の第三の実施の形態の機能ブロック図である。
【図７】本発明の第三の実施の形態の動作を示すフローチャートである。
【符号の説明】
【００３７】
１  制御部（ＣＰＵ）
２  ＬＣＤ表示部
３  タッチパネル
４  角度検出部
５  メモリ
６  キー操作部
１０  第一の筐体
２０  第二の筐体
３０  ヒンジ部
１００  通常の固定時における第一筐体の第二筐体に対する開角度
１０２  押し込み時における第一筐体の第二筐体に対する開角度
２００  カーソル
２０１  選択位置
【図１】
2010093516.tif 000003
【図２】
2010093516.tif 000004
【図３】
2010093516.tif 000005
【図４】
2010093516.tif 000006
【図５】
2010093516.tif 000007
【図６】
2010093516.tif 000008
【図７】
2010093516.tif 000009